(57)【要約】【課題】本発明は約０．７６ミリメートルの厚みのＩＣカードに、スイッチ機構を搭載して、ＩＣカードの情報を第三者に読み取られたり書き込まれたりすることを防止するものである。【解決手段】ＩＣカード本体と、このＩＣカード本体に開けた可動域とこの可動域に設けた回路遮断部と前記の可動域の中を動く可動体とこの可動体に設けた通電手段と前記の可動域を通して前記の可動体を介して互いに連結して前記のＩＣカード本体を挟み込んで前記のＩＣカード本体の表面と裏面をそれぞれが密接しつつ摺動する２枚の摺動板とを主な構成要素とするスイッチ機構とから成って、前記のスイッチ機構を前記のＩＣカード本体の電子回路の中枢部を遮断する手段としたことを特徴とするＩＣカード。【選択図】図２
2006163518.tif 000002
【特許請求の範囲】
【請求項１】
ＩＣカード本体と、このＩＣカード本体に開けた可動域を通して互いに連結して前記のＩＣカード本体を挟み込んで摺動する２枚の摺動板を主な構成要素とするスイッチ機構とからなることを特徴とするＩＣカード。
【請求項２】
ＩＣカード本体と、このＩＣカード本体に開けた可動域とこの可動域に設けた回路遮断部と前記の可動域の中を動く可動体とこの可動体に設けた通電手段と前記の可動域を通して前記の可動体を介して互いに連結して前記のＩＣカード本体を挟み込んで前記のＩＣカード本体の表面と裏面にそれぞれが密接しつつ摺動する２枚の摺動板とを主な構成要素とするスイッチ機構とからなることを特徴とするＩＣカード。
【請求項３】
ＩＣカード本体と、このＩＣカード本体に開けた可動域を通して互いに連結して前記のＩＣカード本体を挟み込んで摺動する２枚の摺動板を主な構成要素とするスイッチ機構とから成って、前記のスイッチ機構を前記のＩＣカード本体の電子回路の中枢部を遮断する手段としたことを特徴とするＩＣカード。
【請求項４】
ＩＣカード本体と、このＩＣカード本体に開けた可動域とこの可動域に設けた回路遮断部と前記の可動域の中を動く可動体とこの可動体に設けた通電手段と前記の可動域を通して前記の可動体を介して互いに連結して前記のＩＣカード本体を挟み込んで前記のＩＣカード本体の表面と裏面をそれぞれが密接しつつ摺動する２枚の摺動板とを主な構成要素とするスイッチ機構とから成って、前記のスイッチ機構を前記のＩＣカード本体の電子回路の中枢部を遮断する手段としたことを特徴とするＩＣカード。
【発明の詳細な説明】
【技術分野】
【０００１】
本発明はスイッチ機構を備えたＩＣカードに関する。
【背景技術】
【０００２】
従来のＩＣカードは専用の読み取り書き込み装置の電磁波を受けて受動的に動作する。そのために、読み取り書き込み装置に意図しないで近づいて、ＩＣカードの情報を読み取られたり書き込まれる心配がある。さらに、第三者が携帯式の読み取り書き込み装置を持って近づけば、ＩＣカードの情報を不正に読み取られたり書き込まれたりされる危険がある。
【０００３】
従来のＩＣカードには、読み取り書き込み動作を阻止する手段をカード自身が持たないという欠点があった。
【０００４】
しかも、カード入れや財布やポケットの中に入れておいても耐える防塵機能を有して、かつカードの撓みにも耐える、約０．７６ミリメートルというカードの薄さを損なわないで、搭載することができるスイッチ機構も無かった。
【０００５】
特許広報にはＩＣカードの回路の遮断手段が記載されたものがあるが、一ミリメートル未満の厚さしかないＩＣカードで実用化するには曲げや防塵の対策が具体的でなく、しかも、回路の遮断と接続方法の実施例が具体的でない。
【特許文献１】特開２００３−１６８０８９
【非特許文献１】発明協会ホームページのＩＣカードのページ
【発明の開示】
【発明が解決しようとする課題】
【０００６】
本発明は以上のような従来の欠点に鑑み、意図しない読み取りや書き込みや、第三者が携帯式の読み取り書き込み装置を持ってＩＣカードの情報を不正に読み取ったり書き込んだりすることを防止する手段を有した、ＩＣカードを提供することを目的としている。
【０００７】
約０．７６ミリメートルの薄いカードに搭載してもカードの薄さとしての機能を損なわないで、カードの撓みにも耐えて、カード入れや財布やポケットの中でも耐える防塵機能を有する構造のスイッチ機構を搭載したＩＣカードを提供することを目的としている。
【０００８】
本発明の前記並びにそのほかの目的と新規な特徴は次の説明を添付図面と照らし合わせて読むと、より完全に明らかになるであろう。ただし、図面はもっぱら解説のためであって、本発明の技術的範囲を限定する物ではない。
【課題を解決するための手段】
【０００９】
上記目的を達成するために、本発明はＩＣカード本体と、このＩＣカード本体に開けた可動域とこの可動域に設けた回路遮断部と前記の可動域の中を動く可動体とこの可動体に設けた通電手段と前記の可動域を通して前記の可動体を介して互いに連結して前記のＩＣカード本体を挟み込んで前記のＩＣカード本体の表面と裏面にそれぞれが密接しつつ摺動する２枚の摺動板とを主な構成要素とするスイッチ機構とから成って、前記のスイッチ機構を前記のＩＣカード本体の電子回路の中枢部を遮断する手段としたことでＩＣカードを構成している。
【発明の効果】
【００１０】
以下の説明から明らかなように、本発明には次に列挙する効果が得られる。
【００１１】
（１）ＩＣカード本体の電子回路の中枢部を遮断するスイッチ機構をＩＣカード本体に搭載することができる。したがって、ＩＣカード本体の電子回路の中枢部を遮断したり接続したりすることができる。したがって、使用しないときはＩＣカード本体の電子回路を遮断状態に切り替えて読み取りや書き込みができない状態にしておくことができる。したがって、意図しない読み取りや書き込みを防止することができる。したがって、第三者が携帯式の読み取り書き込み装置を持ってＩＣカードの情報を不正に読み取ったり書き込んだりすることを防止することができる。したがって、ＩＣカードの情報の盗難を防ぐことができる。
【００１２】
（２）本発明のＩＣカードはスイッチ機構を備えていてしかもそのスイッチ機構はＩＣカード本体を挟み込んでＩＣカード本体の表面と裏面にそれぞれが密接しつつ摺動する２枚の摺動板を外側に持つ。したがって、スイッチ機構の外形をＩＣカード本体に薄い２枚の摺動板が張り付いた形にすることができる。したがって、突起部を無くすことができる。したがって、突起部が無くて嵩張らない外形のスイッチ機構を備えたＩＣカードができる。したがって、他のカードと重ねて収納しても、お互いが傷付くとか破損することなく収納し持運びができる。
【００１３】
（３）さらに、広い摺動板を用いることで摺動板とカード本体とが成す摺動部分である密接部分を広く保つことができる。したがって、摺動部分の密接によってスイッチ機構の内部にほこりの侵入を防ぐことができる。したがって、カード入れや財布やポケットの中のごみや埃に耐える防塵機能を有する構造ができる。したがって、スイッチ機構を備えたＩＣカードに少なくともＪＩＳ防塵型等級５の機能を持たせることができる。
【００１４】
（４）さらに、薄い２枚の摺動板も撓むのでカード特有の撓みにも対応できる。
【００１５】
（５）スイッチ機構の構造は微細ではあるが単純な構造であるので、従来の技術で生産することができる。
【００１６】
（６）前記の（２）〜（５）から、スイッチ機構を搭載しても、カード本来の薄さや撓みの機能を損なわないＩＣカードができる。したがって、他のカードと一緒にカード入れや財布やポケットの中に入れて持ち運ぶことができる。
【００１７】
（７）摺動板を大きくすることで大きなスイッチができる。したがって、スイッチ操作がし易く取り扱いが簡単である。
【発明を実施するための最良の形態】
【００１８】
本発明の説明に用いる主要なことばを下記の通り定義する。
ＩＣカード：非接触方式のＩＣカード。可動域：ＩＣカード本体を切り抜いた穴であり可動体が動く空間であり、ＩＣカードの電子回路の中枢部を遮断した遮断部を持ち、空間は一個あるいは２個以上の場合もある。可動域がＩＣカード本体の縁まで及ぶ切り欠き状の場合も含む。可動体：可動域の中を動き、可動域の遮断部に対応した場所に接続手段を持ち、ＩＣカード表面側の摺動板と裏面側の摺動板と連結して一体となって動く。摺動板：ＩＣカードに密接して摺動する金属あるいは合成樹脂製の薄板であり、ＩＣカードの表面側と裏面側の二枚から成り可動体を介して連結して一体となりＩＣカードを挟み込むように摺動し、スイッチ機構の操作部分であり、表側と裏側の二枚の形状が同一でない場合もあり、摺動板がカードの縁で繋がっている場合も含む。電子回路の中枢部：遮断することによってＩＣカードの電子回路が送受信機能を失う電子回路の要所。
【００１９】
以下、図面に示す本発明を実施する為の最良の形態により、本発明を詳細に説明する。なお、図面に於いては、約０．７６１ミリメートルの薄いカードの細部を説明するために、厚み方向の比だけ約１.３倍から約２０倍の間で拡大して表現している図があるので、該当する図面に於いては図面の簡単な説明の項に（）を用いて拡大比を（×１）〜（×２０）の数字で明示する。また、可動域と可動体のスイッチ機構の遮断部や接続手段を詳細に説明するための図以外ではスイッチ機構を省略して表現してある。
【実施例１】
【００２０】
本発明を実施する為の最良の形態を図１から図２８までで説明する。
【００２１】
図1から図３は、本発明の手動スイッチを搭載した本発明のＩＣカードの外観である。
【００２２】
図１は、スイッチ機構を操作している図である。ＩＣカードの表面と裏面にあって互いに連結している摺動板を親指と人差し指で挟み持って、入切の矢印の方向に摺るように動かしてスイッチ機構の接続と遮断の操作をする。
【００２３】
図２は、スイッチ機構が遮断の状態のＩＣカードの表側の図である。ＩＣカード本体１のカード表側２には接続位置表示４と遮断位置表示５があり、表側の摺動板５０にはスイッチ位置の印６１がある。摺動板はＩＣカード本体を所定の距離だけ摺動する。摺動する面を摺動面７としこの部分は摺動板の厚さの分だけ薄くなり、摺動板移動範囲の窪み９となっている。
【００２４】
図３は、図２の遮断の状態を接続の状態に切り替えた図である。表側の摺動板５０の位置は入りつまり接続状態の位置になっている。
【００２５】
図４は、本発明のスイッチ機構の動く部分を分解して説明するものである。ＩＣカード本体１を切り抜いて設けた可動域２０と、可動域２０の中に嵌る可動体３０と、ＩＣカード本体１の表側の摺動板５０と裏側の摺動板５１である。可動体３０は可動域２０の中に嵌ってスイッチ機構の入り切りのための往復運動を行う。したがって、可動体３０の長辺方向の長さは、可動域２０の長さよりも往復する長さだけ短い。可動体３０は２枚の摺動板と一体に連結して動く。２枚の摺動板はＩＣカード本体１を表面と裏面から挟み込む構造で摺動する。摺動板が摺動する面を摺動面７としてこの部分は、摺動板移動範囲の窪み９となっている。
【００２６】
図５は、表側の摺動板５０と可動体３０と裏側の摺動板５１だけを表した図であり、この三つの部分は互いに固着して一体となって動く部分であり、本発明のスイッチ機構の最も重要な動く部分である。なお、図４と図５に於いて、可動域２０と可動体３０にあるスイッチ機構の遮断部と接続手段を省略して表現している。
【００２７】
図６は、図２の表側の摺動板５０を取り除いたスイッチ機構の内部であり、このときの可動域２０と可動体３０の位置関係を示した図である。可動体３０は遮断状態の位置にある。したがって可動域２０の遮断部２１と可動体３０の接続手段３１は離れている。可動域２０も可動体３０もどちらも厚さが１ミリメートルにも満たないが表面と裏面を摺動板に挟まれているので可動域２０から逸脱しないで、可動域３０の両長辺と可動体の両長辺が互いに滑り合う範囲の、長辺方向だけの往復運動が可能になる。したがって摺動板も可動体３０の動く距離を摺動する。図中の摺動面７が摺動板が移動する範囲である。
【００２８】
図７は、図６の７−７線に沿う断面図であり、可動体３０は遮断の位置にあるためにこの断面の位置の可動域２０には可動体３０が入ってない状態を表している。
【００２９】
図８は、図６の８−８線に沿う断面図であり、可動域２０内の可動体３０の位置と可動体３０と一体となって動く摺動板５０,５１の位置関係を説明している。図７と図８は厚さ方向のみ約３倍拡大した図である。
【００３０】
図６から図８で明らかなように、摺動面7の部分の厚みが、ＩＣカード本体１よりも薄くなっている。これは、ＩＣカード本体１の厚みが約０．７６ミリメートルであるから、摺動板の部分の厚みも約０．７６ミリメートルを超えないために、摺動板の厚み分だけＩＣカード本体を薄くしたものである。ＩＣカードの寸法の規格が変わったり、ＩＣカード本体を０．７６ミリメートルよりも薄く作ることができる場合には、摺動面の部分の厚みを、厚さ調整のために薄くする必要は無くなる。また、窪み部分は厚さ調節の他に、摺動板移動範囲の窪みは摺動板の縁の破損を防止したり、防塵の効果がある。
【００３１】
図９は、図８を厚さ方向のみさらに約３倍拡大して、厚み方向の比を約９倍にして、本発明のスイッチ機構の構造と動作を模式的に詳しく説明している。固着して一体となった可動体３０と二枚の摺動板５０,５１が摺動面７を摺動する構造を明示している。
【００３２】
図１０は、図３の内部を説明するために、表側の摺動板５０を取り除いた図である。スイッチ機構が接続の状態のときの可動域２０と可動体３０の位置関係を示している。
【００３３】
図１１は、図１０の１１−１１線に沿う断面図であり、可動体３０が接続状態の位置に入って、可動体３０の接続手段３１と可動域２０の遮断部２１が接している状態を表している。
【００３４】
図１２は、図１１を厚さ方向にのみさらに拡大して、厚み方向の比を約７倍にして、可動域２０に可動体３０が入っている状態を詳しく説明している。可動体３０が長辺方向にだけ往復運動をすることができるのは可動域２０のすべり辺が可動体のすべり辺に両脇で接しているからである。
【００３５】
図１３は、図１０の１３−１３線に沿う断面図であり、可動域２０内の可動体３０の位置と可動体３０と一体となって動く表側と裏側の摺動板５０,５１の位置関係を説明している。図１０では表側の摺動板５０を取り除いた図になっているが、図１３では可動体３０に固着した実際の状態の断面図にしてある。摺動面７の部分の厚さがＩＣカード本体１の厚さよりも摺動板の厚さだけ薄くなっているのは、摺動板の部分の厚さも０．７６ミリメートルの範囲以内に収めるためである。
【００３６】
図１４は、図１３を厚さ方向にさらに約４倍拡大して１２倍にして、二枚の摺動板５０、５１と可動体３０が固着部３４で固着して一体になって、ＩＣカード本体１の摺動面７を摺動する図である。摺動部６は摺動面と摺動板が密接している部分を言う。可動体３０は接続の位置にある。
【００３７】
図１５は、各部の寸法説明図であり、図１４をさらに拡大して摺動部の隙間の寸法について図１４と併せて説明している。厚さ方向のみの拡大比は約２０倍である。２枚の摺動板５０,５１は、非接触方式のＩＣカード本体１の表側と裏側の夫々の摺動面７に密接して摺動する。摺動部の隙間８は広いと防塵機能が低下するし、狭すぎると摺動がきついか、あるいは摺動しなくなってしまう。したがって、摺動部６の隙間の調節は重要である。
【００３８】
図１６は、図１４と図１５を基にした摺動部の隙間８の式の例を表している。摺動部の隙間８は、０ミリメートルよりも大きいが狭いほど防塵性に優れる。摺動部の隙間８は、二枚の摺動板の間隔５６からカード本体の厚さ１１、但し摺動面の窪み部の厚さ、を減じた値の半分である。二枚の摺動板の間隔５６は可動体の厚さ３７に表側と裏側の固着部の厚さ３５を加えた値である。
【００３９】
ＩＣカード本体の厚さ１０を０．７６ミリメートルとする場合は、摺動板の厚さ５５の二枚分に二枚の摺動板の間隔５６に加えた値が０．７６ミリメートルである。したがって、摺動部の隙間８の調整は可動体の厚さ37と、固着部に接着剤を用いた場合は固着部の厚さ３５を調節するのが分かりやすい。ただし、摺動部の面の仕上げや材料によって摺動の具合は微妙に変化する。
【００４０】
次に、図１７から図１８に於いて最良の第一の形態の遮断部及び接続手段からなるスイッチ機構を模式図で説明する。
【００４１】
可動域２０にはＩＣカードの電子回路６２の中枢部であるアンテナ線６５を遮断して引き出し線２３で引き出し、先端に接点２４を設けて遮断した遮断部２１を設ける。遮断部２１は互いに離れた二つの接点２４の形で成り、可動体に設ける接続手段３１が二つの接点の間を通電させる構造のスイッチ機構である。
【００４２】
なお、電子回路６２の中枢部とは、遮断することによってＩＣカードの電子回路６２が送受信機能を失う電子回路の要所であって、最良の第一の形態では、アンテナ線６５を中枢部に選んで遮断する方法を採っている。
【００４３】
図１７は、スイッチ機構の回路の接続手段３１を右側の遮断の位置に動かした遮断の状態を表している。
【００４４】
図１８は、スイッチ機構の回路の接続手段３１を左側の接続の位置に動かして遮断部を通電させた接続の状態を表している。
【００４５】
図１９から図２１は本発明を実施する為の最良の形態のＩＣカードのスイッチ機構の可動域を説明している。
【００４６】
図１９は、第一の形態の実施例の可動域２０と、可動域側のスイッチ機構の遮断部２１の構造を説明するために、表側の保護シートを貼り付ける前の可動域２０と遮断部２１の図である。可動域２０はＩＣカード本体１を切り抜いた空間部分である。可動域２０の実寸は幅５ミリメートル長さ２５ミリメートルである。遮断部２１はアンテナ線を遮断して延長した引き出し線２３の先端を二つの接点２４にして、可動域２０の中に露出させた構造である。遮断部２１は可動域２０の裏側の保護シート１３の縁からわずかに後退した位置に接点を設けて、溝になる後退部分１４を作っておく。このことによって溝の奥に接点を置くことができる。
【００４７】
図２０は、図１９の斜視図である。図１９の状態の遮断部２１を斜め上から見て、二つの接点２４からなる遮断部２１がわずかに後退した状態で可動域２０に露出している状態を示している。
【００４８】
図２１は図２０の状態に表側の保護シート１２を載せて完成させた状態の図である。実際にはこの中に可動体が嵌って、上に摺動板が載るので露出しない。表側の保護シート１２によって裏側の保護シート１３との間に溝１５ができる構造を説明し、接点２４が溝の奥に位置する構造を示している。可動域２０の長辺部分に沿って可動体が滑るので、ここが可動域の滑り辺２２となる。
【００４９】
図１９から図２１で表しているように、内側のシートの遮断部取り付け位置は可動域２０の枠より所定の距離だけ後退させておく方が良い。後退させておくことによって、表側の保護シート１２と裏側の保護シート１３との間に溝が出来て、接点を溝の奥に位置させることができる。溝１５は接続手段を正しい位置に導く役割と、可動体を接点２４に直接触れさせないことで接点２４の汚れや破損を防ぐ役割を担う。
【００５０】
図２２と図２３は、図１９から図２１と対になる本発明を実施する為の最良の形態のＩＣカードのスイッチ機構の可動体の平面図である。
【００５１】
図２２は、可動体３０の表側の面を剥がして接続手段３１の内部構造を見た図である。可動体３０は幅５ミリメートル長さ２５ミリメートルの可動域２０の中に嵌って、長辺方向に５ミリメートル往復運動をする。したがって幅は可動域２０の幅より動く分だけ短い寸法の２０ミリメートルになる。接続手段３１はこの５ミリメートルの移動によって可動域２０の遮断部２１を遮断するか通電してスイッチ機構を動作させる。厚さは、ＩＣカードの厚さである約０.７６ミリメートルから摺動板の厚みを減じた値であるが正確には図１６で説明した寸法になる。可動体３０は表側と裏側にそれぞれ摺動板が固着して、摺動板を摺り動かすことによって可動域内を逸脱することなく動く。
【００５２】
接続手段３１は、可動域２０の遮断部２１寄りに設けた溝状の接続手段の収納部３２に収納する。接続手段３１は銅や銅合金やステンレスなどの電気伝導体の良導体と針金状バネや板状バネなどの弾性体の機能を有して、遮断部２１の二つの接点２４に同時に接して通電させるものである。バネの機能は遮断部の通電に必要な所定の接触圧力を、微細な接続手段に持たせるのに有効である。接続手段３１は遮断部２１の接点２４に接する部分が飛び出していて、可動域２０の溝１５に嵌る。嵌める時には飛び出している接続手段３１を接続手段の収納部３２に押し込んだ状態にして嵌めるか、可動域２０の溝１５の縁に当たる保護シートに接続手段２１の形状の切り込みを入れておくと良い。
【００５３】
図２３は、図２２の２３−２３に沿う断面図であり、溝状の接続手段収納部３３の構造を表している。針金状のバネからなる接続手段３１は、この断面位置では可動域２０の溝１５の奥の遮断部２１の接点２４に接する位置に圧着する位置にある。図の縦横比はほぼ等倍である。
【００５４】
図２４と図２５及び図２６は、遮断部２１の接点２４と接続手段３１との遮断動作と接続動作を説明している。
【００５５】
図２４は、可動域２０に可動体３０を組み込んだ遮断状態の図である。図１９の可動域２０の中に図２２で説明した可動体３０を組み込んだものであり、遮断状態の可動体３０の位置を表している。遮断部２１の接点２４と接続手段３１とが離れている状態である。２４図では可動体３０は接続手段の収納部３２が見えない状態にしてある。
【００５６】
図２５は、図２４の斜視図である。可動体３０が図２４の位置のときの、可動域２０に嵌った可動体３０の状態を説明している。可動域２０内の遮断部２１の接点２４が見える。ただし、実際には可動体３０に表側の摺動板５０が固着されるので、表側の摺動板５０が透明でない限りこの状態を見ることができない。
【００５７】
図２６は、可動域２０に可動体３０を組み込んだ接続状態の図であり、図２７の可動体３０が接続位置に移動して、接続手段３１が接点２４に接して二つの接点２４を接続状態にしている状態を説明している。遮断部２１の二つの接点２４が接続手段３１で通電状態になっている。
【００５８】
図２７は、図２６の２７−２７線に沿う断面図の断面図である。遮断部２１の接点２４に接続手段３１が圧着している状態を現している。
【００５９】
図２８は図２７の可動体３０に表側と裏側の二枚の摺動板５０,５１を固着部３４で固着した完成状態の断面図を表している。
【００６０】
また、スイッチ機構であるから摺動板の入りの位置と切の位置にクリック感を持たせる位置留め装置が有った方が良い。位置留め装置は可動体と可動域あるいはＩＣカード本体と摺動板の凹凸関係やバネの組み合わせなどによってクリック感を得るものである。
[発明を実施する為の異なる形態]  
【００６１】
次に、図２９ないし図５０に示す本発明を実施するための異なる形態について説明する。なお、これらの本発明を実施するための異なる形態の説明に当たって、前記の本発明を実施するための最良の第一の形態と同一の構成部分には同一符号を付して重複する説明を省略する。
【００６２】
図２９から図３９では、本発明を実施するための異なる第１の形態の差込み型のスイッチ機構の代表的な実施例を説明する。
【００６３】
図２９は、本発明を実施するための異なる第１の形態の差込み型のスイッチ機構を搭載したＩＣカードの平面図である。図６と同じ構造の可動域２０Ａと可動体３０Ａに、異なる形態の差し込み型の遮断部２１Ａと接続手段３１Ａを用いたスイッチ機構の実施例であり、遮断の状態を表側の摺動板５０Ａを取り除いたものとして説明している。可動体３０Ａの入り方向の先端に差込み型の接続手段３１Ａを設けて、可動域２０Ａの該当部分に遮断部２１Ａを設けた図である。
【００６４】
図３０は、図２９の３０−３０線に沿う断面図である。可動体３０Ａの先端の接続手段３１Ａと可動域２０Ａの中の遮断部２１Ａの、遮断状態のときの位置関係を説明している。
【００６５】
図３１は、図３０の摺動板５０Ａと５１Ａを接続の位置に摺動した、接続状態の図である。遮断部２１Ａに接続手段３１Ａが差込まれている状態を説明している。
【００６６】
図３２は図３０の、図３３は図３１の拡大図である。
【００６７】
図３４から図３６は、本発明を実施するための異なる第１の形態である差込み型のスイッチ機構の説明図である。
【００６８】
図３４は、差込み型のスイッチ機構の可動域の構造は可動域２０Ａの接続方向の先端に遮断部の空間２５Ａを持って、中に対面した一対の接点２４Ａを持つ。接点には引き出し線２３Ａが繋がる。接続手段３１Ａは可動体の先端に設けてあり、遮断部の空間２５Ａに差し込まれ、相対した接点２４Ａの両方に等しい圧着力で接する形状であり、差し込んだときに通電する構造である。なお、遮断部の空間２５Ａは表側と裏側の２枚の保護シートによって接続手段の挿入口だけが可動域側に開口している。
【００６９】
図３５は、図３４の接続の状態である。
【００７０】
図３６は、図３５の斜視図であり、可動域２０Ａに開口した遮断部の空間２５Ａと接点２４Ａと差込まれる接続手段３１Ａの遮断状態の位置関係を表している。なお、表側の摺動板を取り除いたものとしてある。
【００７１】
図３７と図３８は本発明を実施するための異なる第２の形態である差込型のスイッチ機構の接続手段をピンセット状にした例であり、可動域と可動体は図３４から図３６と同じ構造であるが接続手段のみ構造が異なる。
【００７２】
図３７は、微細な接続手段３１Ｂが遮断部２１Ｂの左右の接点２４Ｂに等しい力で圧着するために、ピンセット型の接続手段３１Ｂはバネ保持部４２Ｂに固定しない状態に保持されている。３７図は遮断の状態である。
【００７３】
図３８は、図３７の接続の状態である。接続手段３１Ｂは遮断部２１Ｂに入るときに多少角度がずれていてもバネ保持部４２Ｂで正しい方向にずれて、左右の接点２４Ｂに等しい力で圧着して通電する。
【００７４】
図３９は、本発明を実施するための異なる第３の形態である磁石を用いたスイッチ機構の接続状態の断面図である。可動体３０Ｃの接続手段の位置に磁石を用いて、可動域２０Ｃの遮断部の位置に磁気反応素子６７Ｃを用いる場合の例である。但し、この場合には磁気反応素子６７Ｃのための回路や電源装置をＩＣカード本体１Ｃに内蔵搭載する必要がある。
【００７５】
なお、遮断部と接続手段は微細な構造であるが、従来からあるスイッチ技術で作ることが出来るので、遮断部と可動体に設けた接続手段からなるスイッチ機構の形状は、実施例で述べた形状に限らない。
【００７６】
スイッチの入り切り感を得るために、摺動板を動かしたときにクリック感がある方が感じが良い。一般のスイッチには構造自体にクリック感を持たせることが出来るが、本発明のスイッチ機構は小さいので、手触りの良いクリック感が出しにくい場合がある。したがって、可動体と可動域に凹凸部を設けてクリック感を得る方法や、可動体と可動域の間にバネを介してクリック感を得る方法や、摺動板とＩＣカード本体に凹凸部を設けてクリック感を得るなどの方法がある。
【００７７】
図４０から図４３は、本発明を実施するための異なる第４の形態であるバネを兼ねた接続手段を有した可動体と対応した可動域の実施例である。
【００７８】
図４０は、本発明を実施するための異なる第４の形態であるバネを兼ねた接続手段を有した可動体である。スイッチ機構そのものでクリック感を得る構造である。接続手段３１Ｄはクリックする凸部４１Ｄとバネと良導体を兼ねている。
【００７９】
図４１は図４０の可動体３０Ｄに対応する可動域３０Ｄの平面図であり、実寸は図６と同じで幅５ミリメートル、長さ３０ミリメートル、但し凹部の寸法は除く、の可動域である。図４０のバネの凸部４１Ｄがクリックする２対の凸部である接続時の凹部２８Ｄと遮断時の凹部２９Ｄを持つ。遮断部の引き出し線２３Ｄと接点２４Ｄは可動域２０Ｄの両側に対になるように配置してある。
【００８０】
図４２は、図４１の可動域２０Ｄに図４０の可動体３０Ｄをはめ込んだ、スイッチ機構の遮断状態の平面図であり、接続手段３１Ｄの凸部４１Ｄが遮断時の凹部２９Ｄに入って安定している。遮断の状態である。
【００８１】
図４３は、図４２の接続状態の平面図であり、図４２の可動体３０Ｄを接続の位置に移動した図である。接点２４Ｄと接続手段３１Ｄが圧着して、通電している状態であり接続の状態である。接続手段３１Ｄの凸部４１Ｄが接続時の凹部２８Ｄに入って安定している。
【００８２】
図４４から図５０では、可動域と可動体の形の異なる形態の代表的な実施例を説明する。
【００８３】
図４４から図４８は、本発明を実施するための異なる第５の形態である可動域と可動体が複数ある場合の実施例である。一対の可動域と可動体は摺動板の動きの支点になり、もう一方の対の可動域と可動体は遮断部と接続手段からなるスイッチ機構になる。
【００８４】
図４４は、本発明を実施するための異なる第５の形態の実施例のＩＣカードの遮断状態の平面図である。表側の摺動板５０Ｅを所定の角度だけ傾けてスイッチ機構を入り切りするものである。
【００８５】
図４５は、図４４の接続の状態をあらわしている。
【００８６】
図４６は、本発明を実施するための異なる第５の形態の二つの可動域の平面図であり、図４４と図４５のＩＣカード本体の可動域と遮断部の位置を表している。丸い可動域が支点の可動域２７Ｅであり摺動板が動く支点となる。扇型の可動域がスイッチ機構の可動域２６Ｅであり中に遮断部２１Ｅがある。遮断部２１Ｅは差込型のスイッチ機構を用いた例である。
【００８７】
図４７は、図４６に対応した、二つの可動体であり裏側の摺動板５１Ｅと固着した状態である。扇型の可動体がスイッチ機構の可動体３８Ｅであり差込型の接続手段３１Ｅを備えている。丸い可動体が支点の可動体３９Ｅであり、摺動板の回転の中心になる。
【００８８】
図４８は、二つの可動域の中に入った二つの可動体の図である。丸い支点の可動域２７Ｅに支点の可動体３９Ｅが入り、スイッチ機構の可動域２６Ｅにスイッチ機構の可動体３８Ｅが入っている。接続手段３１Ｅを持った可動体が扇型のスイッチ機構の可動域２６Ｅの中を、支点を中心にして円弧を描くように所定の角度だけ回転して、入りと切りの動作をする。図は差込型のスイッチ機構で接続の状態にある。表側の摺動板は説明の為に描いていない。なお、スイッチ機構には、スライド型や磁石型などの遮断部と接続手段を配置することも出来る。
【００８９】
図４９と図５０は、本発明を実施するための異なる第６の形態である可動域と可動体の実施例であり、丸い可動域２０Ｆと丸い可動体３０Ｆを組み合わせて回転型の摺動板５０Ｆを持ったスイッチ機構の実施例である。
【００９０】
図４９は、本発明を実施するための異なる第６の形態である丸い摺動板を用いたＩＣカードの遮断状態の平面図である。時計方向に所定の角度だけ回転させることで接続状態にすることができる。
【００９１】
図５０は、図４９の丸い可動域２０Ｆと丸い可動体３０Ｆと、差し込み型のスイッチ機構の遮断部２１Ｆと接続手段３１Ｆを遮断状態を表している。スイッチ機構には、スライド型や磁石型などの遮断部と接続手段を配置することも出来る。
【産業上の利用可能性】
【００９２】
本発明は、非接触方式のＩＣカードを製造する産業で利用される。
【図面の簡単な説明】
【００９３】
【図１】本発明を実施する為の最良の形態のＩＣカードのスイッチ機構の操作図。
【図２】本発明を実施する為の最良の形態のＩＣカードのスイッチ機構が遮断の状態の平面図。
【図３】図２のスイッチ機構が接続の状態になったＩＣカードの平面図。
【図４】動く部分の構造の分解図（×５）。なお、左の（×  ）の数字は厚み方向の拡大比であり、以下同じである。
【図５】固着して一体となる摺動板と可動体（×５）。
【図６】図２の表側の摺動板を取り除いたスイッチ機構の内部。
【図７】図６の７−７線に沿う断面図（×３）。
【図８】図６の８−８線に沿う断面図（×３）。
【図９】図８の拡大図（×９）。
【図１０】図３の表側の摺動板を取り除いたスイッチ機構の内部。
【図１１】図１０の１１−１１線に沿う断面図（×３）。
【図１２】図１１の拡大図（×７）。
【図１３】図１０の１３−１３線に沿う断面図（×３）。
【図１４】図１３の拡大図（×１２）。
【図１５】各部の寸法説明図（×２０）。
【図１６】遮断部の隙間の関係式。
【図１７】スイッチ機構の回路の遮断状態。
【図１８】スイッチ機構の回路の接続状態。
【図１９】本発明を実施する為の最良の形態のＩＣカードのスイッチ機構の可動域の平面図。
【図２０】図１９の斜視図（×３）。
【図２１】図２０に表側の保護シートを張って完成させた斜視図（×３）。
【図２２】本発明を実施する為の最良の形態のＩＣカードのスイッチ機構の可動体の平面図。
【図２３】図２２の２３−２３線に沿う断面図（×１）。
【図２４】可動域に可動体を組み込んだ遮断状態の図。
【図２５】図２４の斜視図（×２）。
【図２６】可動域に可動体を組み込んだ接続状態の図。
【図２７】図２６の２７−２７線に沿う断面図（×１）。
【図２８】図２７の完成状態の断面図（×１）。
【図２９】本発明を実施するための異なる第１の形態の差込み型のスイッチ機構を搭載したＩＣカードの平面図。
【図３０】図２９の３０−３０線に沿う断面図（×３）。
【図３１】図３０の摺動板を接続の位置に摺動した、接続状態の図（×３）。
【図３２】図３０のスイッチ機構部分の拡大図（×９）。
【図３３】図３１のスイッチ機構部分の拡大図（×９）。
【図３４】本発明を実施するための異なる第１の形態である差込型のスイッチ機構の遮断状態の平面図。
【図３５】図３４の接続状態の平面図。
【図３６】図３５の斜視図。
【図３７】本発明を実施するための異なる第２の形態である差込型のスイッチ機構の遮断状態の平面図。
【図３８】図３７の接続状態の平面図。
【図３９】本発明を実施するための異なる第３の形態である磁石を用いたスイッチ機構の接続状態の断面図（×９）。
【図４０】本発明を実施するための異なる第４の形態であるバネを兼ねた接続手段を有した可動体の平面図。
【図４１】図４０に対応する可動域の平面図。
【図４２】図４１の可動域に図４０の可動体をはめ込んだ、スイッチ機構の遮断状態の平面図。
【図４３】図４２の接続状態の平面図。
【図４４】本発明を実施するための異なる第５の形態である可動域と可動体の実施例のＩＣカードの遮断状態の平面図。
【図４５】図４４の接続状態の平面図。
【図４６】本発明を実施するための異なる第５の形態の二つの可動域の平面図。
【図４７】本発明を実施するための異なる第５の形態の二つの可動体の平面図。
【図４８】図４６の可動域に図４７の可動体をはめ込んだ状態の接続状態の平面図。
【図４９】本発明を実施するための異なる第６の形態である可動域と可動体の実施例のＩＣカードの遮断状態の平面図。
【図５０】図４９の可動域と可動体の遮断状態の平面図。
【符号の説明】
【００９４】
１、１Ａ、１Ｂ、１Ｃ、１Ｄ、１Ｅ、１Ｆ：ＩＣカード本体、
２、２Ａ、２Ｃ、２Ｅ、２Ｆ：カード表側、
３、３Ａ、３Ｃ：カード裏側、
４、接続位置表示、
５、遮断位置表示、
６、６Ａ、６Ｃ：摺り動部、
７、７Ａ、７Ｃ、７Ｅ：摺動面、
８：摺動部の隙間、
９、９Ａ、９Ｅ：摺動板移動範囲の窪み、
１０：カード本体の厚さ、
１１：カード本体の厚さ（窪み部）、
１２：表側の保護シート、
１３：裏側の保護シート、
１４：溝になる後退部分、
１５：溝、
２０、２０Ａ、２０Ｂ、２０Ｃ、２０Ｄ、２０Ｆ：可動域、
２１、２１Ａ、２１Ｂ、２１Ｅ、２１Ｆ：遮断部、
２２、２２Ａ：可動域の滑り辺、
２３、２３Ａ、２３Ｂ、２３Ｄ：引き出し線、
２４、２４Ａ、２４Ｂ、２４Ｄ：接点、
２５Ａ、２５Ｂ：遮断部の空間、
２６Ｅ：スイッチ機構の可動域、
２７Ｅ：支点の可動域、
２８Ｄ：接続時の凹部、
２９Ｄ：遮断時の凹部、
３０、３０Ａ、３０Ｂ、３０Ｃ、３０Ｄ：可動体、
３１、３１Ａ、３１Ｂ、３１Ｄ、３１Ｅ、３１Ｆ：接続手段、
３２：接続手段の収納部、
３３、３３Ａ：可動体の滑り辺、
３４、３４Ａ、３４Ｃ：固着部、
３５：固着部の厚さ、
３６、３６Ａ：摺動板との固着面、
３７：可動体の厚さ、
３８Ｅ：スイッチ機構の可動体、
３９Ｅ：支点の可動体、
４０Ｆ：可動体の回転の中心、
４１Ｄ：凸部、
４２Ｂ、４２Ｄバネ保持部、
５０、５０Ａ、５０Ｃ、５０Ｅ、５０Ｆ：表側の摺動板、
５１、５１Ａ、５１Ｃ、５１Ｅ、５１Ｆ：裏側の摺動板、
５２、５２Ａ、５２Ｃ、５２Ｅ、５２Ｆ：摺動板が動く方向、
５３、５３Ｅ：接続のときの摺動板の位置、
５４、５４Ａ、５４Ｅ：遮断のときの摺動板の位置、
５５：遮断のときの摺動板の位置、
５６：二枚の摺動板の間隔、
５７Ｆ：摺動板の回転の中心、
６０：スイッチ、
６１、６１Ｅ、６１Ｆ：スイッチ位置の印、
６２：ＩＣカードの電子回路、
６３：ＩＣチップ、
６４：電子回路、
６５：アンテナ線、
６６Ｃ：磁石、
６７Ｃ：磁気反応素子。
【図１】
2006163518.tif 000003
【図２】
2006163518.tif 000004
【図３】
2006163518.tif 000005
【図４】
2006163518.tif 000006
【図５】
2006163518.tif 000007
【図６】
2006163518.tif 000008
【図７】
2006163518.tif 000009
【図８】
2006163518.tif 000010
【図９】
2006163518.tif 000011
【図１０】
2006163518.tif 000012
【図１１】
2006163518.tif 000013
【図１２】
2006163518.tif 000014
【図１３】
2006163518.tif 000015
【図１４】
2006163518.tif 000016
【図１５】
2006163518.tif 000017
【図１６】
2006163518.tif 000018
【図１７】
2006163518.tif 000019
【図１８】
2006163518.tif 000020
【図１９】
2006163518.tif 000021
【図２０】
2006163518.tif 000022
【図２１】
2006163518.tif 000023
【図２２】
2006163518.tif 000024
【図２３】
2006163518.tif 000025
【図２４】
2006163518.tif 000026
【図２５】
2006163518.tif 000027
【図２６】
2006163518.tif 000028
【図２７】
2006163518.tif 000029
【図２８】
2006163518.tif 000030
【図２９】
2006163518.tif 000031
【図３０】
2006163518.tif 000032
【図３１】
2006163518.tif 000033
【図３２】
2006163518.tif 000034
【図３３】
2006163518.tif 000035
【図３４】
2006163518.tif 000036
【図３５】
2006163518.tif 000037
【図３６】
2006163518.tif 000038
【図３７】
2006163518.tif 000039
【図３８】
2006163518.tif 000040
【図３９】
2006163518.tif 000041
【図４０】
2006163518.tif 000042
【図４１】
2006163518.tif 000043
【図４２】
2006163518.tif 000044
【図４３】
2006163518.tif 000045
【図４４】
2006163518.tif 000046
【図４５】
2006163518.tif 000047
【図４６】
2006163518.tif 000048
【図４７】
2006163518.tif 000049
【図４８】
2006163518.tif 000050
【図４９】
2006163518.tif 000051
【図５０】
2006163518.tif 000052